(57)【特許請求の範囲】
【請求項１】
撮像により得られた画像データを記録媒体に記録する記録手段を有するデジタルカメラであって、
複数の撮影モードの中から撮影に用いる撮影モードを選択する撮影モード選択手段と、
前記画像データの再生時に匂いを再生させるための匂い情報が記憶された記憶手段と、
前記撮影モード選択手段により選択された撮影モードに基づいて、前記記憶手段に記憶された匂い情報の中から所定の匂い情報を読み出す匂い情報読み出し手段と、
を備え、
前記記録手段は、前記匂い情報読み出し手段により読み出された匂い情報を、前記撮影モード選択手段により選択された撮影モードに基づいて撮影された画像データに対応付けして前記記録媒体に記録する、
ことを特徴とする匂い情報記録可能なデジタルカメラ。
【請求項２】
ユーザからの指示に応じて、前記撮影モードと前記匂い情報との対応付けを設定する設定手段を更に備え、
前記匂い情報読み出し手段は、前記設定手段により設定された対応付けと前記撮影モード選択手段により選択された撮影モードとに基づいて、前記記憶手段に記憶された匂い情報の中から所定の匂い情報を読み出す、
ことを特徴とする請求項１記載の匂い情報記録可能なデジタルカメラ。
【請求項３】
撮像により得られた画像データを記録媒体に記録する記録手段を有するデジタルカメラであって、
前記画像データの再生時に匂いを再生させるための匂い情報が記憶された記憶手段と、
前記記憶手段に記憶された匂い情報の中から所定の匂い情報を選択する匂い情報選択手段と、
撮影時の少なくとも位置、日時、温度、湿度、気圧、輝度の何れかを含む環境状態を測定する測定手段と、
を備え、
前記匂い情報選択手段は、前記測定手段により測定された環境状態に基づいて、前記記憶手段に記憶された匂い情報の中から所定の匂い情報を選択し、
前記記録手段は、前記匂い情報選択手段により選択された匂い情報を前記画像データに対応付けして前記記録媒体に記録する、
ことを特徴とする匂い情報記録可能なデジタルカメラ。
【請求項４】
撮像により得られた画像データを記録媒体に記録する記録手段を有するデジタルカメラであって、
ユーザからの指示に応じて撮影時の設定を行う設定手段と、
前記画像データの再生時に匂いを再生させるための匂い情報が記憶された外部データベースに接続されているサーバー装置へ前記設定手段により設定された撮影時の設定に関する情報を送信し、前記サーバー装置により前記撮影時の設定に関する情報に基づいて前記外部データベースに記憶された匂い情報の中から選択された所定の匂い情報を受信する通信手段と、
を備え、
前記記録手段は、前記通信手段により受信された匂い情報を、前記設定手段により設定された撮影時の設定に基づいて撮影された画像データに対応付けして前記記録媒体に記録する、
ことを特徴とする匂い情報記録可能なデジタルカメラ。
【請求項５】
撮像により得られた画像データを記録媒体に記録する記録手段を有するデジタルカメラであって、
撮影時の少なくとも位置、日時、温度、湿度、気圧、輝度の何れかを含む環境状態を測定する測定手段と、
前記画像データの再生時に匂いを再生させるための匂い情報が記憶された外部データベースに接続されているサーバー装置へ前記測定手段により測定された環境状態に関する情報を送信し、前記サーバー装置により前記送信された環境状態に関する情報に基づいて前記外部データベースに記憶された匂い情報の中から選択された所定の匂い情報を受信する通信手段を備え、
前記記録手段は、前記通信手段により受信された匂い情報を前記画像データに対応付けして前記記録媒体に記録する、
ことを特徴とする匂い情報記録可能なデジタルカメラ。
【発明の詳細な説明】
【０００１】
【発明の属する技術分野】
本発明は、撮影された画像と匂いを再生させて画像鑑賞を楽しませる場合に好適な、匂い情報記録可能なデジタルカメラに関する。
【０００２】
【従来の技術】
近年のデジタルカメラの普及に伴い、撮影された画像をＴＶ（テレビジョン）やＰＣ（パーソナルコンピュータ）のディスプレイ等に再生させて画像鑑賞を楽しむユーザが増えてきた。
【０００３】
一方で、特開平７−５５７４２号公報には、においセンサにより検知したにおい情報をコード化して記録し、この記録したにおい情報を芳香剤の出力値のパターンに変換し、この出力値のパターンに基づいてにおいを再生する、においの記録再生装置が提案されている。この提案には、このにおいの記録再生装置をビデオムービーに適用し、再生時には目、耳、鼻にそれぞれの再生装置からの出力が入力されるようにすれば、ビデオムービーで記録した時点でのその場所に実際に使用者がいるような臨場感あふれるビデオをみることができる旨が記載されている。
【０００４】
【発明が解決しようとする課題】
しかしながら、上記提案では、においの要素毎に、感知したにおいに対応するにおい情報を出力するにおいセンサを必要とする。従って、多種類のにおいに対応するためには多数のにおいセンサが必要となり、例えば、この提案をデジタルカメラに適用した場合には、その多数のにおいセンサの分だけデジタルカメラが大型化してしまい使い勝手が悪くなってしまう虞がある。また、デジタルカメラの大型化を防ぐためににおいセンサの数を制限すると、記録可能なにおい情報の種類が制限されてしまう。
【０００５】
本発明の課題は、上記実情に鑑み、機器を大型化することなく記録可能な匂い情報の種類を多くすることができる匂い情報記録可能なデジタルカメラを提供することである。
【０００６】
【課題を解決するための手段】
本発明の第一の態様は、撮像により得られた画像データを記録媒体に記録する記録手段を有するデジタルカメラであって、複数の撮影モードの中から撮影に用いる撮影モードを選択する撮影モード選択手段と、前記画像データの再生時に匂いを再生させるための匂い情報が記憶された記憶手段と、前記撮影モード選択手段により選択された撮影モードに基づいて、前記記憶手段に記憶された匂い情報の中から所定の匂い情報を読み出す匂い情報読み出し手段と、を備え、前記記録手段は、前記匂い情報読み出し手段により読み出された匂い情報を、前記撮影モード選択手段により選択された撮影モードに基づいて撮影された画像データに対応付けして前記記録媒体に記録する、匂い情報記録可能なデジタルカメラである。
【０００７】
上記の構成によれば、撮影時に選択された撮影モードに基づいて、記憶手段に記憶された匂い情報の中から所定の匂い情報が読み出され、その匂い情報が画像データに対応付けされて記録媒体に記録される。これにより、匂いセンサー等を備えることなく、選択された撮影モードに基づく好適な匂い情報を取得することができるので、デジタルカメラの大型化を防止できる。また、記憶手段に予め多種類の匂い情報を記憶させておくことにより、記録媒体に記録可能な匂い情報の種類を多くすることができる。
【０００８】
本発明の第二の態様は、上記第一の態様において、ユーザからの指示に応じて、前記撮影モードと前記匂い情報との対応付けを設定する設定手段を更に備え、前記匂い情報読み出し手段は、前記設定手段により設定された対応付けと前記撮影モード選択手段により選択された撮影モードとに基づいて、前記記憶手段に記憶された匂い情報の中から所定の匂い情報を読み出す、構成である。
【０００９】
この構成によれば、撮影モードに基づく匂い情報の読み出しは、ユーザの指示に応じて設定された撮影モードと匂い情報との対応付けに基づいて行われる。これにより、ユーザは好みに応じた匂い情報を撮影モードに対応付けさせることができ、結果として好みに応じた匂い情報を画像データに対応付けさせることができる。
【００１０】
本発明の第三の態様は、撮像により得られた画像データを記録媒体に記録する記録手段を有するデジタルカメラであって、前記画像データの再生時に匂いを再生させるための匂い情報が記憶された記憶手段と、前記記憶手段に記憶された匂い情報の中から所定の匂い情報を選択する匂い情報選択手段と、撮影時の少なくとも位置、日時、温度、湿度、気圧、輝度の何れかを含む環境状態を測定する測定手段と、を備え、前記匂い情報選択手段は、前記測定手段により測定された環境状態に基づいて、前記記憶手段に記憶された匂い情報の中から所定の匂い情報を選択し、前記記録手段は、前記匂い情報選択手段により選択された匂い情報を前記画像データに対応付けして前記記録媒体に記録する、匂い情報記録可能なデジタルカメラである。
【００１１】
上記の構成によれば、撮影時の環境状態に基づいて、記憶手段に記憶された匂い情報の中から所定の匂い情報が選択され、その匂い情報が画像データに対応付けされて記録媒体に記録される。これにより、撮影時の環境状態に基づく好適な匂い情報を画像データに対応付けさせることができる。また、匂いセンサー等を備えることなく匂い情報を取得できるのでデジタルカメラの大型化を防止できる。また、記憶手段に予め多種類の匂い情報を記憶させておくことにより、記録媒体に記録可能な匂い情報の種類を多くすることができる。
【００１６】
本発明の第四の態様は、撮像により得られた画像データを記録媒体に記録する記録手段を有するデジタルカメラであって、ユーザからの指示に応じて撮影時の設定を行う設定手段と、前記画像データの再生時に匂いを再生させるための匂い情報が記憶された外部データベースに接続されているサーバー装置へ前記設定手段により設定された撮影時の設定に関する情報を送信し、前記サーバー装置により前記撮影時の設定に関する情報に基づいて前記外部データベースに記憶された匂い情報の中から選択された所定の匂い情報を受信する通信手段と、を備え、前記記録手段は、前記通信手段により受信された匂い情報を、前記設定手段により設定された撮影時の設定に基づいて撮影された画像データに対応付けして前記記録媒体に記録する、匂い情報記録可能なデジタルカメラである。
【００１７】
上記の構成によれば、画像データに対応付けされて記録される匂い情報は、サーバー装置により撮影時の設定に関する情報に基づいて外部データベースに記憶されている匂い情報の中から選択された所定の匂い情報になる。これにより、デジタルカメラでは、匂い情報を記憶しておく必要がないので搭載するメモリ容量を少なくすることができる。また、撮影時の設定に係る情報に基づいて所定の匂い情報を選択する処理を行う必要もないので制御処理に係る負荷を軽減させることもできる。従って、デジタルカメラの構成をより簡易（小型）にすることができる共に、より低コストで実現できる。
【００１８】
本発明の第五の態様は、撮像により得られた画像データを記録媒体に記録する記録手段を有するデジタルカメラであって、撮影時の少なくとも位置、日時、温度、湿度、気圧、輝度の何れかを含む環境状態を測定する測定手段と、前記画像データの再生時に匂いを再生させるための匂い情報が記憶された外部データベースに接続されているサーバー装置へ前記測定手段により測定された環境状態に関する情報を送信し、前記サーバー装置により前記送信された環境状態に関する情報に基づいて前記外部データベースに記憶された匂い情報の中から選択された所定の匂い情報を受信する通信手段を備え、前記記録手段は、前記通信手段により受信された匂い情報を前記画像データに対応付けして前記記録媒体に記録する、匂い情報記録可能なデジタルカメラである。
【００１９】
上記の構成によれば、画像データに対応付けされて記録される匂い情報は、サーバー装置により環境状態に関する情報に基づいて外部データベースに記憶されている匂い情報の中から選択された所定の匂い情報になる。これにより、デジタルカメラでは、匂い情報を記憶しておく必要がないので搭載するメモリ容量を少なくすることができる。また、撮影時の設定に係る情報に基づいて所定の匂い情報を選択する処理を行う必要もないので制御処理に係る負荷を軽減させることもできる。従って、デジタルカメラの構成をより簡易（小型）にすることができる共に、より低コストで実現できる。
【００２１】
【発明の実施の形態】
以下、本発明の実施の形態を図面を参照しながら説明する。
まず、第一の実施の形態について説明する。
図１は、本発明の第一の実施の形態に係るデジタルカメラの構成例である。
【００２２】
同図において、光学系１は、被写体像をＣＣＤ（ Charge-Coupled Devices ）３上に結像させる。
絞り２は、ＣＣＤ３上に結像される被写体像の光量を調節する。
ＣＣＤ３は、結像されている被写体像を光電変換して画像を表現しているアナログ電気信号を出力する。
【００２３】
撮像プロセス部４は、ＣＣＤ３から出力されたアナログ電気信号のノイズ成分を低減させると共に、信号レベルを安定化させ、それをデジタル電気信号に変換する。
信号処理部５は、撮像プロセス部４から出力されたデジタル電気信号である画像データに対し各種の画像処理を行う。例えば、ガンマ補正やホワイトバランス補正等の補正処理や、画像を構成する画素数を増減させる画像のリサイズ処理、等といった画像処理を行う。
【００２４】
圧縮／伸長処理部６は、ＪＰＥＧ（Joint Photographic Experts Group）方式等による画像データの圧縮／伸張処理を行う。例えば、信号処理部５から出力された画像データの圧縮や、カードＩ／Ｆ（インターフェース）７から出力された画像データの伸長等の処理を行う。
【００２５】
カードＩ／Ｆ７は、メモリカード８との間でデータの授受を行うためのインターフェース機能を提供する。
メモリカード８は、データの読み書きの可能な半導体メモリを備えて構成される。
【００２６】
レンズドライバ９は、ＣＰＵ１１の制御の基、光学系１及び絞り２を駆動する。
制御回路１０は、ＣＰＵ１１の制御の基、ＣＣＤ３及び撮像プロセス部４を制御する。
【００２７】
ＣＰＵ１１は、中央演算処理部であり、このＣＰＵ１１の内部メモリ（不図示）に予め格納されているプログラムを実行することで、このデジタルカメラの全体の動作を制御する。
ＤＡＣ（ Digital/Analog Converter ）１２は、信号処理部５から出力されたデジタルデータをアナログデータに変換する。例えば、デジタルデータである画像データをアナログデータである画像データに変換する。また、ＣＰＵ１１から信号処理部５を介して出力されたデジタルデータであるメニュー画面データをアナログデータであるメニュー画面データに変換する。
【００２８】
液晶モニタ１３は、ＤＡＣ１２から出力されたアナログデータに基づく表示を行う。例えば、アナログデータである画像データに基づく画像を表示する。また、アナログデータであるメニュー画面データに基づくメニュー画面を表示する。
メモリ１４は、多種類の匂い情報と、シーンモードと匂い情報との対応付けが定義された対応テーブル等が記憶された記憶手段である。
【００２９】
尚、匂い情報とは、画像データの再生時に匂いを再生させるための情報のことである。また、シーンモードとは、被写体となる撮影シーンをより忠実に撮影画像に表現させるためのモードであり、撮影モードのことでもある。各シーンモードには、撮影シーンをより忠実に撮影画像に表現させるために、その撮影シーンに最適な露光条件（シャッタースピード，絞り等）が設定されている。例えば、撮影シーンとして運動会やカーレース等に好適なシーンモード”スポーツ”では、露光条件として高速のシャッタースピードが設定され、また撮影シーンとして花等に好適なシーンモード”マクロ”では、背景をぼかすために露光条件として絞りの開口を大きくするように設定されている。このように、所定のシーンモードが選択されて撮影が行われると、そのシーンモードに設定されている露光条件により撮影が行われることになる。
【００３０】
シーンモード選択部１５は、ユーザからの指示に応じて、複数のシーンモードの中から所定のシーンモードを選択する。
操作部１６は、ユーザからの各種指示を受け付けるための各種ボタンやスイッチ等を備えて構成され、受け付けたユーザからの指示をＣＰＵ１１へ通知する。例えば、各種メニューの表示指示を受け付けるメニューボタン、表示されているメニューの中からの所定の項目の選択指示を受け付ける十字キー（選択ボタン）、選択指示された項目の設定指示を受け付ける設定ボタン、ＡＥ（ Automatic Exposure ）・ＡＦ（ Automatic Focus ）処理等の開始指示や撮影開始指示を受け付けるレリーズボタン等を備えている。
【００３１】
入出力部１７は、外部装置とのインターフェース機能を提供するものであり、このデジタルカメラと外部装置との間でのデータの授受を可能にする。
続いて、上述のメモリ１４に記憶されている、シーンモードと匂い情報との対応付けが定義された対応テーブルについて説明する。
【００３２】
図２は、その対応テーブルの一例である。
同図に示したように、対応テーブルには、各シーンモードに対応する好適な匂い情報が一義的に対応付けされている。但し、各シーンモードに対応付けされている匂い情報は、メモリ１４に記憶されている匂い情報である。この対応付けは、設定されたシーンモードに基づいて撮影された画像が再生される時に、その画像に好適な匂いを再生させるために為されたものである。例えば、”ポートレート（女性）”に対しては、好適な匂い情報として”香水”が対応付けされている。また、各シーンモードには、識別番号（同図のＮＯ．）も付されている。例えば、”ポートレート（女性）”に対しては、識別番号として”１”が付されている。尚、同図の例では、１０個のシーンモードについて示してあるが、実際にはその他のシーンモードについても同様にして匂い情報が対応付けされており、また識別番号が付されている。
【００３３】
次に、上述した構成のデジタルカメラのＣＰＵ１１によって行われる制御処理について説明する。尚、この制御処理は、ＣＰＵ１１が内部メモリに格納されているプログラムを読み込んで実行することによって実現される。
まず、シーンモード選択処理について説明する。
【００３４】
図３は、そのシーンモード選択処理の処理内容を示すフローチャートの一例である。
同図において、まず、Ｓ３０１では、メニューボタン（操作部１６）が押されてシーンモード設定メニューの表示指示が行われたか否かが判定され、その判定結果がＹｅｓの場合にはシーンモード設定メニューが液晶モニタ１３に表示されてＳ３０２へ処理が進み、Ｎｏの場合には、本ステップを繰り返す。
【００３５】
尚、シーンモード設定メニューは、ユーザに所望とするシーンモードを選択可能にさせるメニューである。
Ｓ３０２では、十字キー及び設定ボタン（操作部１６）が押されてシーンモード設定メニューの中から所定のシーンモードが選択・設定指示されたか否かが判定され、その判定結果がＹｅｓの場合には、Ｓ３０３へ処理が進み、Ｎｏの場合にはＳ３０４へ処理が進む。
【００３６】
Ｓ３０３では、前ステップで選択・設定指示されたシーンモードに対応する識別番号が、ＣＰＵ１１の所定のレジスタに格納される。
Ｓ３０４では、十字キー及び設定ボタンが押されてシーンモード設定メニューの表示終了指示が行われたか否かが判定され、その判定結果がＹｅｓの場合には、本処理が終了し、Ｎｏの場合には、Ｓ３０２へ処理が戻る。
【００３７】
このように、上述のシーンモード選択処理が実行されることにより、ユーザの所望とするシーンモードが設定される。
図４は、前述のシーンモード設定メニューの表示例である。尚、同図は、デジタルカメラの背面図を示したものでもあり、同図中の２１は設定ボタン、２２はメニューボタン、２３は十字キーを示している。
【００３８】
同図に示した例では、選択可能なシーンモードとして、”ポートレート”、”スポーツ”、”風景”、”夜景”が表示され、ユーザによる十字キー２３の操作によりシーンモードとして”風景”が選択されている状態を示している。ここで、例えば、ユーザが設定ボタン２１を押すことにより、シーンモードとして”風景”が設定されるようになる。尚、同図の太枠は、選択中のシーンモードを示すものであり、十字キー２３（上下ボタン）の操作により移動される。デフォルトでは、この太枠は常に最上段のシーンモードに示される。また、表示中以外の他のシーンモードも、十字キー２３（上下ボタン）の操作により表示される。
【００３９】
続いて、第一の実施の形態に係る撮影処理について説明する。
図５は、その撮影処理の処理内容を示すフローチャートの一例である。
同図において、まず、Ｓ５０１では、レリーズボタン（操作部１６）が第一段位置（１ｓｔレリーズ位置）まで押されたか否かが判定され、その判定結果がＹｅｓの場合にはＳ５０２へ処理が進み、Ｎｏの場合には本ステップを繰り返す。
【００４０】
Ｓ５０２では、シーンモードが選択されているか否かが判定される。すなわち、前述の図３に示したシーンモード選択処理により所定のシーンモードが選択され、そのシーンモードの識別番号がＣＰＵ１１の所定のレジスタに格納されているか否かが判定され、その判定結果がＹｅｓの場合にはＳ５０３へ処理が進み、Ｎｏの場合にはＳ５０５へ処理が進む。
【００４１】
Ｓ５０３では、前述のＣＰＵ１１の所定のレジスタに格納されている識別番号に基づく露光条件（シャッタースピード、絞り等）、すなわちシーンモードに基づく露光条件が選択される。
Ｓ５０４では、前述のメモリ１４に記憶されている対応テーブルに基づいて、前述のＣＰＵ１１の所定のレジスタに格納されている識別番号に応じた匂い情報、すなわちシーンモードに対応付けされている匂い情報が検索される。
【００４２】
Ｓ５０５では、通常の露光条件が選択される。すなわち、ユーザにより手動（マニュアル）で露光条件（シャッタースピード、絞り等）が選択されていた場合には、その露光条件が選択される。
Ｓ５０６では、後述するＳ５１３の処理において匂い情報の付加を行わない旨の設定が行われる。
【００４３】
Ｓ５０７では、露光条件が未選択である場合に（例えばオート撮影モード等の場合に）露光演算が行われ該演算結果に応じた露光条件が選択される、等といったＡＥ処理が行われる。
Ｓ５０８では、焦点調整位置が求められ、該焦点調整位置へ光学系１が移動される、等といったＡＦ処理が行われる。
【００４４】
Ｓ５０９では、レリーズボタンの押下が解除されたか否かが判定され、その判定結果がＹｅｓの場合にはＳ５０１へ処理が戻り、Ｎｏの場合にはＳ５１０へ処理が進む。
Ｓ５１０では、レリーズボタンが第二段位置（２ｎｄレリーズ位置）まで押されたか否かが判定され、その判定結果がＹｅｓの場合にはＳ５１１へ処理が進み、Ｎｏの場合にはＳ５０９へ処理が戻る。
【００４５】
Ｓ５１１では、選択済みの露光条件に基づいて撮影が行われる。すなわち、選択済みの露光条件に基づいて結像された被写体像がＣＣＤ３により光電変換され、撮像プロセス部４により前述の処理が行われてデジタル電気信号である画像データが得られる。
【００４６】
Ｓ５１２では、前ステップで得られた画像データに対し、信号処理部５による前述の画像処理、及び圧縮／伸長処理部６による圧縮処理が行われる。
Ｓ５１３では、前述のＳ５０４で検索された匂い情報がメモリ１４から読み出され、その匂い情報が前述のＳ５１２のステップで画像処理及び圧縮処理が行われた画像データに対応付けされる。尚、本ステップにおける対応付けは、画像データの画像ファイルのヘッダ領域に匂い情報が付加されることにより行われる。但し、前述のＳ５０６の処理において匂い情報の付加を行わない旨の設定が行われていたときには、本ステップの対応付けは行われず、ヘッダ領域に匂い情報が付加されることはない。
【００４７】
Ｓ５１４では、前ステップにおいてヘッダ領域に匂い情報が付加された画像データ（若しくはヘッダ領域に匂い情報が付加されていない画像データ）の画像ファイルがメモリカード８に記録され、本フローが終了する。
このように、上述した撮影処理が実行されることにより、所定のシーンモードが選択されて撮影が行われたときには、その撮影により得られた画像データに、そのシーンモードに基づく好適な匂い情報が対応付けされてメモリカード８に記録される。
【００４８】
以上、第一の実施の形態によれば、シーンモードに基づく好適な匂い情報を画像データに対応付けさせて記録することができるので、匂いセンサー等を備える必要はなくデジタルカメラの大型化を防止できる。また、多種類の匂い情報をメモリ１４に記憶させておけるので、メモリカード８へ記録可能な匂い情報の種類を多くすることができる。また、この画像データに基づく画像の再生時に、その画像データに対応付けされている匂い情報に基づく匂いを再生させることにより、画像鑑賞をより一層楽しませることが可能になる。
【００４９】
尚、第一の実施の形態において、メモリ１４に記憶されている対応テーブルの、各シーンモードに対する匂い情報の対応付けを、ユーザからの指示に応じて変更・設定することができるように構成しても良い。
図６は、ユーザからの指示に応じて変更・設定された対応テーブルの一例である。同図では、その変更・設定された匂い情報に＊印を付して示している。このように構成することで、ユーザは好みに応じた匂い情報をシーンモードに対応付けさせることができ、結果として好みに応じた匂い情報を画像データに対応付けさせることができる。
【００５０】
次に、本発明の第二の実施の形態について説明する。
第二の実施の形態は、撮影時の画像データに対応付けさせる匂い情報を、ユーザに直接選択させるようにした形態である。尚、第二の実施の形態において、デジタルカメラの構成は、図１に示した構成と同様である。但し、第二の実施の形態に係るデジタルカメラでは、第一の実施の形態に示したシーンモードと匂い情報の対応テーブルはメモリ１４に記憶されていない。
【００５１】
図７(a),(b) は、第二の実施の形態に係る撮影処理の処理内容を示すフローチャートの一例である。尚、この処理は、ＣＰＵ１１が内部メモリに格納されているプログラムを読み込んで実行することによって実現される。
同図(a),(b) に示したように、まず、Ｓ７０１では、レリーズボタンが第一段位置まで押されたか否かが判定され、その判定結果がＹｅｓの場合にはＳ７０２へ処理が進み、Ｎｏの場合には本ステップを繰り返す。
【００５２】
Ｓ７０２では、露光演算が行われ該演算結果に応じた露光条件が選択される、等といったＡＥ処理が行われる。
Ｓ７０３では、焦点調整位置が求められ、該焦点調整位置へ光学系１が移動される、等といったＡＦ処理が行われる。
【００５３】
Ｓ７０４では、レリーズボタンの押下が解除されたか否かが判定され、その判定結果がＹｅｓの場合にはＳ７０１へ処理が戻り、Ｎｏの場合にはＳ７０５へ処理が進む。
Ｓ７０５では、レリーズボタンが第二段位置まで押されたか否かが判定され、その判定結果がＹｅｓの場合にはＳ７０６へ処理が進み、Ｎｏの場合にはＳ７０４へ処理が戻る。
【００５４】
Ｓ７０６では、選択済みの露光条件に基づいて撮影が行われる。すなわち、選択済みの露光条件に基づいて結像された被写体像がＣＣＤ３により光電変換され、撮像プロセス部４により前述の処理が行われてデジタル電気信号である画像データが得られる。
【００５５】
Ｓ７０７では、前ステップで得られた画像データに対し、信号処理部５による前述の画像処理、及び圧縮／伸長処理部６による圧縮処理が行われる。
Ｓ７０８では、同図(b) に示した匂い情報設定処理が行われる。
同図(b) において、まず、Ｓ７１０では、匂い情報設定メニューが表示される。
【００５６】
尚、匂い情報設定メニューは、ユーザに所望とする匂い情報を選択可能にさせるメニューであり、メモリ１４に記憶されている匂い情報に基づいて表示される。
Ｓ７１１では、十字キー及び設定ボタンを介したユーザからの指示に応じて、匂い情報設定メニューの中から所定の匂い情報が選択・設定される。
【００５７】
Ｓ７１２では、十字キー及び設定ボタンが押されて匂い情報設定メニューの表示終了指示が行われる。
Ｓ７１３では、前述のＳ７１１で選択された匂い情報がメモリ１４から読み出され、前述のＳ７０７のステップで画像処理及び圧縮処理が行われた画像データに対応付けされて、匂い情報設定処理がリターンする。尚、本ステップにおける対応付けは、画像データの画像ファイルのヘッダ領域に匂い情報が付加されることにより行われる。
【００５８】
同図(a) に戻り、Ｓ７０９では、前述のヘッダ領域に匂い情報が付加された画像データの画像ファイルがメモリカード８に記録され、本フローが終了する。
このように、上述した撮影処理が実行されることにより、ユーザの指示に応じて選択された匂い情報が、撮影時の画像データに対応付けされてメモリカード８に記録される。但し、前述のＳ７１１において、匂い情報の選択・設定に係るユーザの指示が為されずにＳ７１２の匂い情報設定メニューの表示終了指示が行われた場合には、Ｓ７１３での匂い情報の対応付けは行われず、続くＳ７０９では、匂い情報の付加されていない画像データの画像ファイルがメモリカード８に記録されることになる。
【００５９】
尚、上述した撮影処理において、Ｓ７１０乃至Ｓ７１２の処理を撮影処理前に、またＳ７１０乃至Ｓ７１３の処理（Ｓ７０８の処理）を撮影処理後に行うようにしても良い。
図８は、前述のＳ７１０で表示される匂い情報設定メニューの表示例である。
【００６０】
同図に示したように、メモリ１４に記憶されている匂い情報に基づいて、選択可能な匂い情報が表示される。同図に示した例では、ユーザによる十字キー２３（上下ボタン）の操作により匂い情報として”ミント”が選択されている状態を示している。ここで、例えば、ユーザが設定ボタンを押すことにより、匂い情報として”ミント”が設定されることになる。尚、同図の太枠は、選択中の匂い情報を示すものであり、十字キー２３（上下ボタン）の操作により移動される。デフォルトでは、この太枠は常に最上段の匂い情報に示される。また、表示中以外の他の匂い情報も、十字キー２３（上下ボタン）の操作により表示される。
【００６１】
以上、第二の実施の形態によれば、ユーザは好みに応じた匂い情報を撮影時の画像データに直接対応付けさせることができる。
また、第二の実施の形態においても、第一の実施の形態と同様に、デジタルカメラの大型化を防止でき、またメモリカード８へ記録可能な匂い情報の種類を多くすることができる。また、この画像データに基づく画像の再生時に、その画像データに対応付けされている匂い情報に基づく匂いを再生させることにより、画像鑑賞をより一層楽しませることが可能になる。
【００６２】
次に、本発明の第三の実施の形態について説明する。
第三の実施の形態は、撮影時の画像データに対応付けさせる匂い情報を、カテゴリー別にユーザに選択させるようにした形態である。尚、第三の実施の形態に係るデジタルカメラの構成は、第二の実施の形態に係るデジタルカメラの構成と同様である。
【００６３】
図９(a),(b) は、第三の実施の形態に係る撮影処理の処理内容を示すフローチャートの一例である。尚、この処理は、ＣＰＵ１１が内部メモリに格納されているプログラムを読み込んで実行することによって実現される。
同図(a),(b) において、同図(a) に示した処理（Ｓ９０１乃至Ｓ９０７及びＳ９０９）は、図７(a) に示した処理（Ｓ７０１乃至Ｓ７０７及びＳ７０９）と同様であるので、ここでは、Ｓ９０８の処理である図９(b) に示した匂い情報設定処理についてのみ説明する。
【００６４】
同図(b) において、まず、Ｓ９１０では、匂い情報設定メニューが表示される。
尚、この匂い情報設定メニューは、ユーザにカテゴリー別の匂い情報の中から所望とする匂い情報を選択可能にさせるメニューである。また、カテゴリーとは、メモリ１４に記憶されている匂い情報の分類項目のことである。
【００６５】
Ｓ９１１では、十字キー及び設定ボタン（操作部１６）を介したユーザからの指示に応じて、匂い情報設定メニューの中から所定のカテゴリーが選択・設定される。
Ｓ９１２では、前ステップで選択・設定されたカテゴリーに基づいて１つ又は複数の匂い情報が選択されて液晶モニタ１３に表示され、十字キー及び設定ボタンを介したユーザからの指示に応じて、その表示された匂い情報の中から所定の匂い情報が選択・設定される。
【００６６】
Ｓ９１３では、十字キー及び設定ボタンが押されて匂い情報設定メニューの表示終了指示が行われる。
Ｓ９１４では、前述のＳ９１２で選択された匂い情報がメモリ１４から読み出され、前述のＳ９０７（前述のＳ７０７に対応）のステップで画像処理及び圧縮処理が行われた画像データに対応付けされ、本処理がリターンする。尚、本ステップにおける対応付けは、画像データの画像ファイルのヘッダ領域に匂い情報が付加されることにより行われる。
【００６７】
このように、上述した撮影処理が実行されることにより、ユーザの指示に応じてカテゴリー別に選択された匂い情報が、撮影時の画像データに対応付けされてメモリカード８に記録される。但し、前述のＳ９１２において、匂い情報の選択・設定に係るユーザの指示が為されずにＳ９１３の匂い情報設定メニューの表示終了指示が行われた場合には、Ｓ９１４での匂い情報の対応付けは行われず、続くＳ９０９では、匂い情報の付加されていない画像データの画像ファイルがメモリカード８に記録されることになる。
【００６８】
尚、上述した撮影処理において、Ｓ９１０乃至Ｓ９１３の処理を撮影処理前に、またＳ９１０乃至Ｓ７１４の処理（Ｓ９０８の処理）を撮影処理後に行うようにしても良い。
図１０(a),(b) は、前述のＳ９１１で表示された匂い情報設定メニューの表示例であり、同図(c) は、前述のＳ９１２で表示された匂い情報設定メニューの表示例である。
【００６９】
同図(a),(b),(c) に示した表示例は、まず、上位のカテゴリーの中から所定のカテゴリーが選択・設定されると、その選択・設定された上位のカテゴリーに基づく下位のカテゴリーが表示され、その下位のカテゴリーの中から所定のカテゴリーが選択・設定されると、その選択・設定された下位のカテゴリーに基づく１つ又は複数の匂い情報が表示され、その匂い情報の中からの所定の匂い情報の選択・設定を可能にさせるものである。
【００７０】
同図(a) は、前述のＳ９１０で匂い情報設定メニューが表示された後に、前述のＳ９１１で十字キー及び設定ボタンを介したユーザからの指示に応じて、上位のカテゴリーとして”被写体”が選択・設定されて、その”被写体”に基づく下位のカテゴリーである”赤ちゃん”、”子供”、”女性”が表示されたときの表示例である。
【００７１】
同様にして、同図(b) は、前述のＳ９１０で匂い情報設定メニューが表示された後に、前述のＳ９１１で十字キー及び設定ボタンを介したユーザからの指示に応じて、上位のカテゴリーとして”イベント”が選択・設定されて、その”イベント”に基づく下位のカテゴリーとして”運動会”、”カーレース”、”サッカー”が表示されたときの表示例である。
【００７２】
同図(c) は、同図(a) に示した表示例において設定ボタンが押されたときの表示例である。すなわち、前述のＳ９１２で十字キー及び設定ボタンを介したユーザからの指示に応じて、下位のカテゴリーとして”赤ちゃん”が選択・設定され、その”赤ちゃん”に基づく匂い情報として”牛乳”、”パウダー”が表示されたときの表示例である。これにより、ユーザにカテゴリー別の匂い情報の中から所定の匂い情報を選択・設定させることが可能になる。
【００７３】
尚、同図(a),(b),(c) において、上位のカテゴリーの”匂い情報”が選択・設定されたときには、下位のカテゴリーではなく、匂い情報の一覧が表示され、その一覧の中からの所定の匂い情報の選択・設定が可能になる。
また、同図(a),(b),(c) において、太枠で示されたカテゴリーや匂い情報は、選択対象、若しくは選択・設定対象となっているカテゴリーや匂い情報を示すものであり、十字キー２３（上下ボタン）の操作により移動される。デフォルトでは、この太枠は常に最上段のカテゴリーや匂い情報に示される。また、同図(a),(b),(c) に示した以外の他のカテゴリー及び匂い情報も、十字キー（上下ボタン）の操作により表示される。
【００７４】
以上、第三の実施の形態によれば、ユーザはカテゴリー別の匂い情報の中から所望とする匂い情報を選択することができるので、匂い情報の選択に係る時間を短縮することができる。
また、第三の実施の形態においても、第一の実施の形態と同様に、デジタルカメラの大型化を防止でき、またメモリカード８へ記録可能な匂い情報の種類を多くすることができる。また、この画像データに基づく画像の再生時に、その画像データに対応付けされている匂い情報に基づく匂いを再生させることにより、画像鑑賞をより一層楽しませることが可能になる。
【００７５】
次に、本発明の第四の実施の形態について説明する。
第四の実施の形態は、撮影時の画像データに対応付けさせる匂い情報が、撮影時の環境状態に基づいて選択される形態である。
図１１は、第四の実施の形態に係るデジタルカメラの構成例である。
【００７６】
同図において、測定部３１は、撮影時の環境状態を測定し、その測定結果をＣＰＵ１１へ通知するものであり、位置を測定するＧＰＳ（ Global Positioning System ）センサー、温度を測定する温度センサー、湿度を測定する湿度センサー、気圧を測定する気圧センサー、輝度を測定する輝度センサー等の各種センサーを備えている。また、このデジタルカメラは、日時を計数するカレンダー機能及び時計機能（不図示）を備えている。その他の構成については、図１に示した構成と同様である。但し、第四の実施の形態に係るデジタルカメラでは、第一の実施の形態に示したシーンモードと匂い情報の対応テーブルはメモリ１４に記憶されていない。
【００７７】
次に、上述の図１１に示した構成のデジタルカメラのＣＰＵ１１によって行われる制御処理について説明する。尚、この制御処理は、ＣＰＵ１１が内部メモリに格納されているプログラムを読み込んで実行することによって実現される。
図１２(a),(b) は、第三の実施の形態に係る撮影処理の処理内容を示すフローチャートの一例である。尚、同図(a) に示した処理（Ｓ１２０１乃至Ｓ１２０７及びＳ１２０９）は、図７(a) に示した処理（Ｓ７０１乃至Ｓ７０７及びＳ７０９）と同様であるので、ここでは、Ｓ１２０８の処理である図１２(b) に示した匂い情報設定処理についてのみ説明する。
【００７８】
同図(b) において、まず、Ｓ１２１０では、環境状態に関する情報が取得される。尚、このときに取得される環境状態に関する情報には、測定部３１から取得された各種センサー情報や、カレンダー機能及び時計機能から取得された日時に関する情報等が含まれる。
【００７９】
Ｓ１２１１では、前ステップで取得された環境状態に関する情報に基づいて、メモリ１４に記憶されている匂い情報の中から、その環境状態に好適な匂い情報が検索される。例えば、カレンダー機能及び測定部３１の各種センサーから取得された情報から、季節が夏で、高気温、強輝度、高湿度であることが認識された場合には、撮影シーンとして海やプール等が考えられ、その撮影シーンに好適な匂い情報（潮の香り等）が検索される。
【００８０】
Ｓ１２１２では、前ステップで検索された匂い情報がメモリ１４から読み出される。
Ｓ１２１３では、前ステップで読み出された匂い情報が、Ｓ１２０７（前述のＳ７０７に対応）のステップで画像処理及び圧縮処理が行われた画像データに対応付けされ、本処理がリターンする。尚、本ステップにおける対応付けは、画像データの画像ファイルのヘッダ領域に匂い情報が付加されることにより行われる。
【００８１】
このように、上述した撮影処理が実行されることにより、撮影時の環境状態に基づく好適な匂い情報が画像データに対応付けされてメモリカード８に記録される。
尚、上述した撮影処理において、Ｓ１２１０乃至Ｓ１２１２の処理を撮影処理前に、またＳ１２１０乃至Ｓ１２１３の処理（Ｓ１２０８の処理）を撮影処理後に行うようにしても良い。
【００８２】
以上、第四の実施の形態によれば、撮影時の環境状態に基づく好適な匂い情報を画像データに対応付けさせることができる。
また、第四の実施の形態においても、第一の実施の形態と同様に、デジタルカメラの大型化を防止でき、またメモリカード８へ記録可能な匂い情報の種類を多くすることができる。また、この画像データに基づく画像の再生時に、その画像データに対応付けされている匂い情報に基づく匂いを再生させることにより、画像鑑賞をより一層楽しませることが可能になる。
【００８３】
次に、本発明の第五の実施の形態について説明する。
第五の実施の形態は、撮影時の画像データに対応付けさせる匂い情報が、サーバー装置から取得される形態である。
図１３は、第五の実施の形態に係るデジタルカメラとサーバー装置の構成例である。
【００８４】
同図に示したデジタルカメラ４１において、通信部４２は、外部装置（サーバー装置等）と通信を行うための通信手段である。その他の構成については、図１１に示した構成と同様である。但し、図１３に示したデジタルカメラ４１のメモリ１４には、匂い情報は記憶されない。また、同図のデジタルカメラ４１では、レンズドライバ９、制御回路１０、操作部１６、入出力部１７が省略されて示されている。
【００８５】
また、サーバー装置４３は、このサーバー装置４３の全体を制御するＣＰＵ（不図示）、多種類の匂い情報等が記憶された外部データベース４４、外部装置（デジタルカメラ４１等）と通信を行うための通信手段４５等を備え、例えば、外部から入力された情報に基づいて所定の匂い情報を出力する処理等を行う。
【００８６】
尚、同図に示した外部データベース４４は、サーバー装置４３内に備えられたものであるが、例えば、サーバー装置４３にネットワークを介して接続される等、サーバー装置４３外に設けられるものであっても良い。
次に、上述の図１３に示した構成のデジタルカメラ４１のＣＰＵ１１によって行われる制御処理について説明する。尚、この制御処理は、ＣＰＵ１１が内部メモリに格納されているプログラムを読み込んで実行することによって実現される。
【００８７】
図１４(a),(b) は、第五の実施の形態に係る撮影処理の処理内容を示すフローチャートの一例である。尚、同図(a) に示した処理（Ｓ１４０１乃至Ｓ１４０７及びＳ１４０９）は、図７(a) に示した処理（Ｓ７０１乃至Ｓ７０７及びＳ７０９）と同様であるので、ここでは、Ｓ１４０８の処理である図１４(b) に示した匂い情報設定処理についてのみ説明する。
【００８８】
同図(b) において、まず、Ｓ１４１０では、環境状態に関する情報が取得される。尚、このときに取得される環境状態に関する情報には、測定部３１から取得された各種センサー情報や、カレンダー機能及び時計機能から取得された日時に関する情報等が含まれる。
【００８９】
Ｓ１４１１では、サーバー装置４３へのアクセスが行われる。
Ｓ１４１２では、前述のＳ１４１０で取得された環境状態に関する情報がサーバー装置へ送信される。
Ｓ１４１３では、サーバー装置４３から、環境状態に関する情報に基づく匂い情報が受信される。尚、この匂い情報は、サーバー装置が、デジタルカメラ４１から送信された環境状態に関する情報に基づいて、外部データベース４４に記憶されている匂い情報の中から選択した好適な匂い情報である。
【００９０】
Ｓ１４１４では、前ステップで受信された匂い情報が、Ｓ１４０７（前述のＳ７０７に対応）のステップで画像処理及び圧縮処理が行われた画像データに対応付けされ、本処理がリターンする。尚、本ステップにおける対応付けは、画像データの画像ファイルのヘッダ領域に匂い情報が付加されることにより行われる。
【００９１】
このように、上述した撮影処理が実行されることにより、デジタルカメラ４１から撮影時の環境状態に関する情報がサーバー装置４３へ送信され、その環境状態に関する情報に基づく好適な匂い情報がサーバー装置４３から受信され、その匂い情報が画像データに対応付けされてメモリカード８に記録される。
【００９２】
尚、上述した撮影処理において、Ｓ１４１０乃至Ｓ１４１３の処理を撮影処理前に、またＳ１４１０乃至Ｓ１４１４の処理（Ｓ１４０８の処理）を撮影処理後に行うようにしても良い。
以上、第五の実施の形態によれば、匂い情報が外部データベース４４に記憶されるので、デジタルカメラ４１において、匂い情報を記憶する必要がなく、メモリ容量を少なくすることができる。また、撮影時の環境状態に関する情報に基づいて好適な匂い情報を選択する処理を、サーバー装置４３が行っているので、デジタルカメラ４１のＣＰＵ１１の制御処理に係る負荷を軽減させることができる。従って、デジタルカメラ４１の構成をより簡易（小型）にすることができる共に、より低コストで実現できる。
【００９３】
尚、第五の実施の形態に係る撮影処理において、Ｓ１４０７の画像処理と、Ｓ１４１０乃至Ｓ１４１３の匂い情報設定処理を、並列して実行させるようにしても良い。これにより、処理時間の短縮化が可能になると共に、サーバー装置４３との通信が行われていることを、ユーザに意識させないようにすることができる。
【００９４】
また、第五の実施の形態では、デジタルカメラ４１がサーバー装置４３へ送信する情報は、撮影時の環境状態に関する情報であったが、その他の情報であっても良い。例えば、撮影時のデジタルカメラ４１の設定（シャッタースピード、絞り値等）に関する情報であっても良い。この場合、サーバー装置４３では、デジタルカメラ４１から送信された設定に関する情報に基づいて好適な匂い情報を選択する、といった処理が行われる。
【００９５】
次に、本発明の関連する参照例について説明する。
本参照例は、前述の第一乃至第５の実施の形態に係るデジタルカメラ等によりメモリカードに記録された、画像データ及び該画像データに対応付けされた匂い情報に基づいて画像及び匂いを再生させる例である。
【００９６】
図１５は、本参照例に係る匂い再生装置の構成例である。
同図に示した匂い再生装置５１は、４種類の芳香剤５７ａ、５７ｂ、５７ｃ、５７ｄを備え、これらの４種類の芳香剤５７の組み合わせにより、より多種類の（少なくとも５種類以上の）匂いを再生させることが可能な装置である。
【００９７】
同図において、通信Ｉ／Ｆ５２は、デジタルカメラやＰＣ等の外部装置と通信を行うためのインターフェース機能を提供するものである。
匂い情報／芳香剤変換部５３は、前述の通信Ｉ／Ｆ５２を介して入力された匂い情報を、芳香剤情報に変換する。
【００９８】
尚、芳香剤情報とは、この匂い再生装置５１に備えられた芳香剤５７ａ、５７ｂ、５７ｃ、５７ｄの何れを使用するか、また使用する芳香剤が収納されている容器をどの程度開成させるか、等といった内容を示す情報のことである。
芳香剤開閉制御部５４は、前述の匂い情報／芳香剤変換部５３により変換された芳香剤情報に基づいて、芳香剤開閉部５６ａ、５６ｂ、５６ｃ、５６ｄを制御する。
【００９９】
芳香剤開閉部５６ａ、５６ｂ、５６ｃ、５６ｄは、芳香剤開閉制御部５４の制御の基、芳香剤５７ａ、５７ｂ、５７ｃ、５７ｄが収納されている容器（不図示）を開閉する。例えば、芳香剤開閉部５６ａは、芳香剤５７ａが収納されている容器を開閉する。また、芳香剤開閉部５６ｂは、芳香剤５７ｂが収納されている容器を開閉する。以下、芳香剤開閉部５６ｃ、５６ｄについても同様である。
【０１００】
吹出口５８は、匂いを外部へ吹出すための開口部である。
送風部５５は、必要に応じて送風を行い、芳香剤５７が収納されている容器が芳香剤開閉部５６による開閉制御により開成されて生じた匂いを吹出口５８より吹出させる。
【０１０１】
尚、上述した匂い再生装置５１では、４種類の芳香剤が備えられているが、それ以上、若しくはそれ以下の種類の芳香剤を備えるようにしても良い。但し、その場合には、芳香剤の種類に応じた数の芳香剤開閉部が備えられる。
次に、上述した匂い再生装置５１の接続例（使用例）について説明する。
【０１０２】
図１６(a),(b) は、その匂い再生装置５１の接続例である。
同図(a) は、デジタルカメラと匂い再生装置５１との接続例である。
同図(a) において、デジタルカメラ６１は、例えば上述の第一乃至第五の実施の形態に係るデジタルカメラであり、カードＩ／Ｆ６２、入出力部６３、ＣＰＵ６４等を備えている。また、カードＩ／Ｆ６２に挿入されるメモリカード６５には、少なくとも、上述の第一乃至第五の実施の形態に係るデジタルカメラの撮影により得られた匂い情報が付加されている画像ファイル、すなわち画像データと該画像データに対応付けされた匂い情報が記録されている。また、デジタルカメラ６１と匂い再生装置５１との接続は、デジタルカメラ６１の入出力部６３と匂い再生装置５１の通信Ｉ／Ｆ５２が通信ケーブル６６を介して接続されることにより行われる。このような接続例において、メモリカード６２がデジタルカメラ６１に装着された状態でユーザによりデジタルカメラ６１が操作され、メモリカード６５に記録されている匂い情報が付加されている画像ファイルの再生指示が行われたときには、その画像ファイルの画像データに基づく画像がデジタルカメラ６１の液晶モニタ（不図示）に表示されると共に、その画像ファイルに付加されている匂い情報に基づく匂いが匂い再生装置５１から吹出される。これにより、画像とその画像に好適な匂いが再生されるようになり、ユーザは、画像鑑賞をより一層楽しむことが可能になる。
【０１０３】
同図(b) は、ＰＣと匂い再生装置５１との接続例である。
同図(b) において、ＰＣ６７は、キーボード等の入力部、ディスプレイ、メモリカードが挿入されるカードＩ／Ｆ、ＣＰＵ等を備えている。尚、メモリカード６５については前述した通りである。また、ＰＣ６７と匂い再生装置５１との接続は、ＰＣ６７の入出力部（不図示）と匂い再生装置５１の通信Ｉ／Ｆ５２が通信ケーブル６６を介して接続されることにより行われる。このような接続例において、メモリカード６５がＰＣ６７のカードＩ／Ｆに装着された状態でユーザによりＰＣ６７のキーボード等が操作され、メモリカード６５に記録されている匂い情報が付加されている画像ファイルの再生指示が行われたときには、その画像ファイルの画像データに基づく画像がＰＣ６７のディスプレイに表示されると共に、その画像ファイルに付加されている匂い情報に基づく匂いが匂い再生装置５１から吹出される。これにより、画像とその画像に好適な匂いが再生されるようになり、ユーザは、画像鑑賞をより一層楽しむことが可能になる。
【０１０４】
尚、同図(a),(b) において、通信ケーブル６６による接続は、例えば、ＲＳ−２３２Ｃ、ＵＳＢ、ＩＥＥＥ１３９４等といったケーブル接続によるものである。また、このようなケーブル接続の他に、Ｂｌｕｅｔｏｏｔｈ、ＩｒＤＡ等といった非ケーブル接続によるものであっても良い。
【０１０５】
続いて、前述のデジタルカメラ６１若しくはＰＣ６７により実行される再生処理について更に詳細に説明する。尚、この再生処理は、デジタルカメラ６１のＣＰＵ６４若しくはＰＣ６７のＣＰＵが内部メモリに格納されているプログラムを読み込んで実行することによって実現される。
【０１０６】
図１７は、その再生処理の処理内容を示すフローチャートの一例である。尚、同図に示した再生処理は、ユーザによりメモリカード６５に記録されている所定の画像ファイルの再生指示が行われたときに開始される処理である。
同図において、まず、Ｓ１７０１では、ユーザにより再生指示された画像ファイルがメモリカード６５に記録されているか否かが判定され、その判定結果がＹｅｓの場合にはＳ１７０２へ処理が進み、Ｎｏの場合には本フローが終了する。
【０１０７】
Ｓ１７０２では、再生指示された画像ファイルは再生可能なデータを備えているか否かが判定され、その判定結果がＹｅｓの場合にはＳ１７０３へ処理が進み、Ｎｏの場合には本フローが終了する。
Ｓ１７０３では、再生指示された画像ファイルに匂い情報が含まれているか否かが判定され、その判定結果がＹｅｓの場合にはＳ１７０４へ処理が進み、Ｎｏの場合にはＳ１７０９へ処理が進む。
【０１０８】
Ｓ１７０４では、再生指示された画像ファイルの匂い情報が読み出される。
Ｓ１７０５では、前ステップで読み出された匂い情報が匂い再生装置５１へ送信される。
Ｓ１７０６では、再生指示された画像ファイルの画像データが読み出され、読み出された画像データの伸長処理が行われる。
【０１０９】
Ｓ１７０７では、前ステップで伸長処理が行われた画像データに基づく画像が表示される。
Ｓ１７０８では、匂い情報の再生指示信号が匂い再生装置５１へ送信され、本フローが終了する。
【０１１０】
このとき、匂い情報の再生指示信号を受信した匂い再生装置５１は、既に受信済みの匂い情報に基づいて前述の通りに匂いを再生する。
Ｓ１７０９では、再生指示された画像ファイルの画像データが読み出され、読み出された画像データの伸長処理が行われる。
【０１１１】
Ｓ１７１０では、前ステップで伸長処理が行われた画像データに基づく画像が表示され、本フローが終了する。
このように、上述した再生処理が実行されることにより、再生指示が行われた画像ファイルに匂い情報が付加されているときには、画像とその画像に好適な匂いが再生されるようになる。
【０１１２】
以上、本参照例によれば、ユーザは画像鑑賞をより一層楽しむことが可能になる。
尚、本参照例において、匂い再生装置５１をデジタルカメラ６１の内部に構成するようにしても良く、また匂い再生装置５１をＰＣ６７の内部に構成するようにしても良い。
【０１１３】
また、第一乃至第五の実施の形態に係る撮影処理では、画像データの画像ファイルのヘッダ領域に匂い情報を付加させることにより、画像データと匂い情報の対応付けが行われていたが、例えば、画像データの画像ファイルと匂い情報のファイルを別にして、画像ファイルのヘッダ領域に、後に匂い情報のファイルを特定するためのリンク情報（ファイル名等）を付加させることにより、画像データと匂い情報の対応付けを行うようにしても良く、またその他の方法により対応付けを行うようにしても良い。
【０１１４】
以上、本発明のデジタルカメラ及び再生装置について詳細に説明したが、本発明は上記実施形態に限定されず、本発明の要旨を逸脱しない範囲において、各種の改良及び変更を行っても良いのはもちろんである。
【０１１５】
【発明の効果】
以上、詳細に説明したように、本発明によれば、デジタルカメラを大型化することなく、メモリカード等の記録媒体に記録可能な匂い情報の種類を多くすることができる。また、撮影された画像データに基づく画像の再生時に、その画像データに対応付けされている好適な匂い情報に基づく匂いを再生させることができ、画像鑑賞をより一層楽しませることが可能になる。
【図面の簡単な説明】
【図１】本発明の第一の実施の形態に係るデジタルカメラの構成例である。
【図２】シーンモードと匂い情報との対応付けが定義された対応テーブルの一例である。
【図３】シーンモード選択処理の処理内容を示すフローチャートの一例である。
【図４】シーンモード設定メニューの表示例である。
【図５】第一の実施の形態に係る撮影処理の処理内容を示すフローチャートの一例である。
【図６】ユーザからの指示に応じて変更・設定された対応テーブルの一例である。
【図７】  (a),(b) は、第二の実施の形態に係る撮影処理の処理内容を示すフローチャートの一例である。
【図８】Ｓ７１０で表示される匂い情報設定メニューの表示例である。
【図９】  (a),(b) は、第三の実施の形態に係る撮影処理の処理内容を示すフローチャートの一例である。
【図１０】  (a),(b) はＳ９１１で表示された匂い情報設定メニューの表示例であり、(c) はＳ９１２で表示された匂い情報設定メニューの表示例である。
【図１１】第四の実施の形態に係るデジタルカメラの構成例である。
【図１２】  (a),(b) は、第三の実施の形態に係る撮影処理の処理内容を示すフローチャートの一例である。
【図１３】第五の実施の形態に係るデジタルカメラとサーバー装置の構成例である。
【図１４】  (a),(b) は、第五の実施の形態に係る撮影処理の処理内容を示すフローチャートの一例である。
【図１５】  匂い再生装置の構成例である。
【図１６】  (a) はデジタルカメラと匂い再生装置との接続例、(b) はＰＣと匂い再生装置との接続例である。
【図１７】再生処理の処理内容を示すフローチャートの一例である。
【符号の説明】
１      光学系
２      絞り
３      ＣＣＤ
４      撮像プロセス部
５      信号処理部
６      圧縮／伸長処理部
７      カードＩ／Ｆ
８      メモリカード
９      レンズドライバ
１０    制御回路
１１    ＣＰＵ
１２    ＤＡＣ
１３    液晶モニタ
１４    メモリ
１５    シーンモード選択部
１６    操作部
１７    入出力部
２１    設定ボタン
２２    メニューボタン
２３    十字キー
３１    測定部
４１    デジタルカメラ
４２    通信部
４３    サーバー装置
４４    外部データベース
４５    通信手段
５１    匂い再生装置
５２    通信Ｉ／Ｆ
５３    匂い情報／芳香剤変換部
５４    芳香剤開閉制御部
５５    送風部
５６ａ、５６ｂ、５６ｃ、５６ｄ  芳香剤開閉部
５７ａ、５７ｂ、５７ｃ、５７ｄ  芳香剤
５８    吹出口
６１    デジタルカメラ
６２    カードＩ／Ｆ
６３    入出力部
６４    ＣＰＵ
６５    メモリカード
６６    通信ケーブル
６７    ＰＣ
【図１】
0004009474.tif 000002
【図２】
0004009474.tif 000003
【図３】
0004009474.tif 000004
【図４】
0004009474.tif 000005
【図５】
0004009474.tif 000006
【図６】
0004009474.tif 000007
【図７】
0004009474.tif 000008
【図８】
0004009474.tif 000009
【図９】
0004009474.tif 000010
【図１０】
0004009474.tif 000011
【図１１】
0004009474.tif 000012
【図１２】
0004009474.tif 000013
【図１３】
0004009474.tif 000014
【図１４】
0004009474.tif 000015
【図１５】
0004009474.tif 000016
【図１６】
0004009474.tif 000017
【図１７】
0004009474.tif 000018